(57)【要約】【解決手段】移動通信ネットワークで使用されるように適合されたユーザ端末には、他の装置を識別するために短距離ワイヤレス通信インターフェイスを通して通信する手段と、前記識別プロセスに応答して前記装置に関係する１つ以上の機能を開始する手段とを具備し、前記機能は少なくとも部分的に、前記ネットワークに通じている通信リンクを通して送られる制御メッセージを使用して実行される【選択図】図２
2004515989.tif 000002
【特許請求の範囲】
【請求項１】
移動通信ネットワークで使用されるように適合されたユーザ端末において、
他の装置を識別するために短距離ワイヤレス通信インターフェイスを通して通信する手段と、
前記識別プロセスに応答して前記装置に関係する１つ以上の機能を開始する手段とを具備し、
前記機能は少なくとも部分的に、前記ネットワークに通じている通信リンクを通して送られる制御メッセージを使用して実行されるユーザ端末。
【請求項２】
前記１つ以上の機能にはベアラサービスを制御することが含まれる請求項１記載のユーザ端末。
【請求項３】
前記装置は他のユーザ端末であり、前記１つ以上の機能には前記他のユーザ端末との間で到来呼を再方向付けすることが含まれる請求項２記載のユーザ端末。
【請求項４】
前記１つ以上の機能にはサービス管理機能を制御することが含まれる請求項１ないし請求項３のいずれか１項記載のユーザ端末。
【請求項５】
前記１つ以上の機能にはネットワークサービスセッティングをセッティングすることが含まれる請求項４記載のユーザ端末。
【請求項６】
前記装置は他のユーザ端末であり、前記１つ以上の機能には前記他のユーザ端末との間の呼転送をセッティングすることが含まれる請求項５記載のユーザ端末。
【請求項７】
前記通信手段は、前記短距離インターフェイスを通して、問い合わせメッセージを送信し、応答メッセージを受信する手段を備える請求項１ないし請求項６のいずれか１項記載のユーザ端末。
【請求項８】
応答ユーザ端末の識別子は前記応答中に含まれる請求項７記載のユーザ端末。
【請求項９】
前記１つ以上の機能は予め構成されたグループに属するユーザ端末に制限される請求項１ないし請求項８のいずれか１項記載のユーザ端末。
【請求項１０】
前記予め構成されたグループのメンバーを識別するデータが前記ユーザ端末に記憶される請求項９記載のユーザ端末。
【請求項１１】
前記予め構成されたグループのメンバーを識別するデータが、端末から離れたネットワークに記憶される請求項９記載のユーザ端末。
【請求項１２】
前記通信リンクにはセルラ無線通信リンクが含まれる請求項１ないし請求項１１のいずれか１項記載のユーザ端末。
【請求項１３】
前記短距離インターフェイスには、ブルートゥースリンクのような短距離無線リンクが含まれる請求項１ないし請求項１２のいずれか１項記載のユーザ端末。
【請求項１４】
前記制御メッセージは前記ユーザ端末から送られる請求項１ないし請求項１３のいずれか１項記載のユーザ端末。
【請求項１５】
前記制御メッセージは前記装置から送られる請求項１ないし請求項１３のいずれか１項記載のユーザ端末。
【請求項１６】
移動通信ネットワーク中で電話呼を処理する方法において、
少なくとも第２のユーザ端末を識別するために短距離リンクを通して近接する他のユーザ端末と通信する第１のユーザ端末と、
前記識別プロセスに応答して前記呼を処理することを含む方法。
【請求項１７】
前記ユーザ端末の少なくとも１つは移動性である請求項１６記載の方法。
【請求項１８】
前記第１のユーザ端末はアラートユーザ端末について問い合わせる請求項１６または請求項１７記載の方法。
【請求項１９】
前記呼処理には呼を受信ユーザ端末に再方向付けすることを含む請求項１６ないし請求項１８のいずれか１項記載の方法。
【請求項２０】
呼出回線識別子は前記呼を再方向付けしている間に前記受信ユーザ端末に送られる請求項１０記載の方法。
【請求項２１】
前記呼を再方向付けすることには、
ｉ）呼デフレクション、または
ｉｉ）呼転送
の追加サービスの使用が含まれる請求項１９または請求項２０記載の方法。
【請求項２２】
前記呼はインテリジェントネットワークプロセスにより制御される請求項１６ないし請求項２１のいずれか１項記載の方法。
【請求項２３】
移動通信ネットワーク中で電話呼を処理する方法において、
短距離メッセージを送信して、制限された範囲内の他の局に対して問い合わせを行う第３者局と、
前記問い合わせに応答する被呼者局と、
前記第３者局は短距離リンクにより要求を前記被呼者局に送信して、前記被呼者局から前記第３者局に呼を再方向付けすることを含む方法。
【発明の詳細な説明】
【０００１】
【発明の属する技術分野】
この発明は、移動通信ネットワーク中でサービスを提供する方法および装置に関する。特に、しかしながら限定されるものではないが、この発明は、移動通信ネットワーク中の、呼ピックアップのような呼取扱設備、および／またはサービス管理機能を提供する方法およびシステムに関する。
【０００２】
【従来の技術】
方向付けられているもの以外の局により呼が応答されるようにする呼ピックアップのような設備を提供するシステムは、固定回線構内交換機（ＰＢＸ）システムでよく知られている。
【０００３】
以下で“ピッカー”と言及されるユーザは、他のユーザ局鳴動を聞くことに応答して特定コードをダイヤルし、被呼者の電話局からピッカー局への呼の再方向付けを開始する。２つの異なるサービス、“方向付けされた呼ピックアップ”と“グループ呼ピックアップ”が知られており、一般的に利用可能である。
【０００４】
“方向付けされたピックアップ”に対して、ピッカーはコードをダイヤルし、そのコードの後には被呼者電話番号が続いて、発呼者電話局に方向付けされている呼をピックアップする。“グループ呼ピックアップ”サービスに対して、ユーザのグループは予め構成されており、このようなグループのメンバーは同じグループの他の任意のメンバーに方向付けられている呼をピックアップする。このケースでは、ピッカーは一般的なコード（例えば“８”）をダイヤルして、グループメンバー局に方向付けされている呼をピックアップする。このサービスにより、例えば使用人は同僚に方向付けられている呼を便利に取り扱うことができる。
【０００５】
ＵＳ３７３７５８７は、例えばグループピックアップサービスを提供するこのような電話スイッチングシステムを説明している。
【０００６】
ＥＰ９８２９１９は、１つ以上のサーバを有する通信ネットワークで実現されるべき呼ピックアップシステムおよび装置を説明する。マルチサーバ呼ピックアップシステムは、ネットワーク内のどこからでも呼ピックアップを可能にするように適合され、これにはマルチサーバネットワーク内の異なるサーバ上に配置されているユーザへの呼が含まれる。呼ピックアップシステムには、呼ピックアップ構成を開始するために使用されるピックアップ要求ユニットが含まれる。リモート接続ユニットとローカル接続ユニットは、ネットワーク内の呼当事者の位置を決定する。
【０００７】
固定回線通信ネットワークのみに対する解法を提供することが、先に説明したシステムおよび方法の欠点である。
【０００８】
【発明が解決しようとする課題】
移動通信ネットワーク中で、（電話、テキストメッセージングなどを含む）ベアラサービスに関係する呼ピックアップおよび他の設備のような設備を実現するための方法およびシステムを提供することが本発明の目的である。
【０００９】
【課題を解決するための手段】
セルラ通信ネットワーク中のハンドセットの移動性は、例えば呼ピックアップサービスのような多くのサービスを提供するのに技術的な困難性を課す。例えば加入者が近くで移動局の鳴動を聞いた場合に、加入者はどの移動局が鳴動しているか分からない。このようなサービスの提供に関係しているユーザ端末の少なくとも１つが移動性である場合にこの問題が生じる。固定装置を持つ第１のユーザに近接した環境は変わるかもしれない。その理由は、移動端末を持つ他のユーザは第１のユーザの近接に入るかまたは出るからである。同じ方法で、移動端末のユーザの環境は変化する。その理由は、ユーザがセルラ通信ネットワークの他のユーザの近接に入るかまたは出るからである。さらに、ユーザは呼に応答することができるか否かが分からない。第３者に対する呼に応答することは、被呼者の手が空いておらず、第３者が被呼者に関係するグループに属しているケースにおいて合理的である一方、第３者がその呼に応答することにより発呼者を助けることができない場合には不都合である。
【００１０】
本発明の１つの観点にしたがうと、移動通信ネットワークで使用されるように適合されたユーザ端末が提供され、このユーザ端末には、他の装置を識別するために短距離ワイヤレス通信インターフェイスを通して通信する手段と、前記識別プロセスに応答して前記装置に関係する１つ以上の機能を開始する手段とが含まれ、前記機能は少なくとも部分的に、前記ネットワークに通じている通信リンクを通して送られる制御メッセージを使用して実行される。
【００１１】
この方法では、ユーザ端末はその近接の装置を識別し、識別された装置が関係するように、ベアラサービスの制御、および／またはサービス管理セッティング、および／または他の機能が開始される。
【００１２】
本発明の他の観点にしたがうと、移動通信ネットワーク中で電話呼を処理する方法が提供され、前記方法は、少なくとも第２のユーザ端末を識別するために短距離リンクを通して近接する他のユーザ端末と通信する第１のユーザ端末と、前記識別プロセスに応答して前記呼を処理することを含む。
【００１３】
呼はしたがって例えばユーザ端末に送られ、このユーザ端末は被呼者ユーザ端末の近接に位置しているか、位置していた。
【００１４】
本発明の他の観点にしたがうと、移動通信ネットワーク中で電話呼を処理する方法が提供され、前記方法は、短距離メッセージを送信して、制限された範囲内の他の局に対して問い合わせを行う第３者局と、前記問い合わせに応答する被呼者局と、前記第３者局は短距離リンクにより要求を前記被呼者局に送信して、前記被呼者局から前記第３者局に呼を再方向付けすることを含む。
【００１５】
この方法では、ユーザはそれらの局の能力を使用して被呼者局を識別し、呼に応答するために、呼を発呼者局から自己のユーザ端末に再方向付けするように要求する。
【００１６】
【発明の実施の形態】
本発明の別の観点および利点は以下の説明および添付図面から明らかになるであろう。
【００１７】
公衆地上移動ネットワーク（ＰＬＭＮ）と呼ばれるセルラ通信ネットワークが図１に概略的に図示されている。これはそれ自身知られており、詳細に説明しない。移動スイッチングセンタ（ＭＳＣ）１０２は、通信リンクを通して多数の基地局制御装置（ＢＳＣ）１０４に接続されている。ＢＳＣ１０４は、移動スイッチングセンタ１０２により取り扱われる領域にわたって地理的に分散されている。各ＢＳＣ１０４はＢＳＣから離れて位置しており、別の通信リンクを通してＢＳＣに接続されている１つ以上の基地トランシーバ局（ＢＴＳ）１０６を制御する。各ＢＴＳ１０６は無線信号を移動局１０８に送信し、移動局１０８から受信し、移動局１０８はそのＢＴＳにより取り扱われる領域にある。その領域は“セル”として呼ばれる。ＧＳＭネットワークには非常に多くのこのようなセルが設けられ、それらは理想的には隣接し、全体的なネットワークテリトリーに対して連続カバーレッジを提供する。
【００１８】
移動スイッチングセンタ１０２は、通信リンクを通して移動通信ネットワーク１１０中の残りにある他の移動スイッチングセンタに接続され、そして図示されていない公衆サービス電話ネットワーク（ＰＳＴＮ）のような他のネットワークにも接続されている。移動スイッチングセンタ１０２にはホーム位置登録装置（ＨＬＲ）１１２が設けられ、これは移動着信呼ルーティングデータ、加入者認証データおよびサービスデータを記憶するデータベースである。
【００１９】
移動スイッチングセンタにはビジター位置登録装置（ＶＬＲ）も設けられ、これは一般的にＭＳＣと統合され、したがって図１に示されていない。これは加入者認証データと、その領域でアクティブな移動局に対するサービスデータを一時的に記憶するデータベースである。
【００２０】
ネットワークにはＩＭＥＩ／ＩＭＳＩ登録装置（ＩＩＲ）１１７も設けられ、これはネットワークの加入者により保持される加入者識別子モジュール（ＳＩＭ）に属する国際移動加入者識別子（ＩＭＳＩ）のリストと、各ＩＭＳＩレコードに対する、ユーザ局の国際移動装置識別子（ＩＭＥＩ）を保持するデータベースである。これは使用される装置のモデルを規定する装置タイプコードを含み、この使用される装置はＳＩＭが挿入されていたと最後に知られていた装置である。
【００２１】
本発明では、他のユーザ端末に近接するユーザ端末が、短距離無線赤外線転送装置などのような、短距離ワイヤレス通信インターフェイスにより識別される。ユーザ端末は使用される通信リンクの範囲内にある他の局と通信し、識別のための識別子番号、あるいは呼を再方向付けするためのまたは識別プロセスに応答して他の機能を実行するための要求を送信する。
【００２２】
１つの実施形態では、本発明は移動通信ネットワーク中で呼ピックアップサービスを実現するために適用される。加入者が電話の鳴っているのを聞いた場合に、加入者は呼に応答することを望み、呼をピックアップするための申出を含むメッセージの送信を開始する。加入者の移動局は、短距離通信インターフェイスを通してその近接した移動局にメッセージを送信する。このメッセージはどの局が鳴動しているか、すなわちどの局が呼セットアップ要求を受信したかを問い合わせる。鳴動局は（例えばＩＭＳＩのような）その識別子番号を送信することによりこの問い合わせに応答する。加入者ＭＳは短距離無線リンクを通して被呼ＭＳからのピックアップサービスの実現を要求する。
【００２３】
本発明の他の実施形態では、被呼者の移動局は短距離通信インターフェイスを通してその近接にある他の移動局を識別する。この方法では、呼ダイバート、呼転送または会議呼のような機能が、移動通信ネットワーク中の被呼ＭＳに近接した移動局に提供される。
【００２４】
ブルートゥース
以下では、本発明を実現するために適切な短距離無線接続の例としてブルートゥース技術が導入されている。
【００２５】
ブルートゥース技術はグローバルに利用可能な２．４５ＧＨｚ周波数帯におけるユニバーサル無線インターフェイスを提供し、半径１０メートル（そして１００メートルまで拡張可能）内の電子装置間でのワイヤレス接続および通信を可能にする。半二重および全二重接続の両者を通して同時音声およびデータ送信がサポートされる。
【００２６】
ブルートゥース可能ユニットには、無線ユニット、リンク制御ユニット、リンク管理およびホスト端末インターフェイス機能のためのサポートユニットが含まれる。
【００２７】
ブルートゥースシステムは２点間接続または１対多点間接続を提供する。１対多点間接続では、チャネルはいくつかのブルートゥースユニット間で共有される。
【００２８】
ブルートゥースシステムでは、問い合わせ手続きは、宛先装置アドレスがソースに知られていない適用において使用されるものとして規定され、あるいは代わりに、問い合わせ手続きは、他のどのブルートゥースユニットが範囲内にあるかを発見するように使用することができる。問い合わせ準状態中、発見中ユニットは問い合わせメッセージに応答するすべてのユニットのブルートゥース装置アドレスとクロックを収集する。望む場合には、いわゆるページ手続きによって、それらの任意の１つに接続することができる。
【００２９】
ソースにより放送される問い合わせメッセージは、そのソースについての情報は何ら含まない。しかしながら、このメッセージはどのクラスの装置が応答すべきかを示す。任意のブルートゥース装置に対して問い合わせするための１つの一般的な問い合わせアクセスコード（ＧＩＡＣ）と、あるタイプの装置に対してのみ問い合わせる多数の専用問い合わせアクセスコード（ＤＩＡＣ）がある。問い合わせアクセスコードは予約されたブルートゥース装置アドレスから導出される。
【００３０】
各パケットはアクセスコードで開始する。パケットヘッダが続く場合には、アクセスコードは７２ビット長であり、そうでない場合には、アクセスコードは６８ビット長である。問い合わせ手続きでは、アクセスコードをシグナリングメッセージとして使用し、ヘッダやペイロードは存在しない。
【００３１】
他のブルートゥースユニットを発見したいユニットは問い合わせ準状態に入る。この準状態では、ユニットは異なるホップ周波数で問い合わせメッセージを連続的に送信する。自分自身が発見されるようにするユニットは、問い合わせ走査準状態に定期的に入って、問い合わせメッセージに応答する。
【００３２】
問い合わせメッセージが問い合わせ走査準状態で受信されたとき、受信者アドレスを含む応答メッセージが返信されなければならない。ＦＨＳパケットが応答として送信され、これは特殊制御パケットであり、特にブルートゥース装置アドレスおよび送信者のクロックを示す。
【００３３】
その後、接続がＣＯＮＮＥＣＴＩＯＮ状態を通して確立され、パケットをあちこちに送信することができる。接続をセットアップするためにはブルートゥース装置アドレスのみが要求される。クロックに関する知識はセットアップ手続きを促進する。
【００３４】
ＣＯＮＮＥＣＴＩＯＮ状態中の最初の情報パケットは制御メッセージを含み、このメッセージはリンクを特徴付け、ブルートゥースユニットに関するさらなる詳細を提供する。これらのメッセージはユニットのリンクマネージャー間で交換される。ユーザ情報の転送は、パケットを交互に送信および受信することにより開始することができる。
【００３５】
ＣＯＮＮＥＣＴＩＯＮ状態はデタッチまたはリセットコマンド中に残る。デタッチコマンドは、リンクが通常の方法で切断された場合に使用される。ブルートゥースリンク制御装置中のすべてのコンフィグレーションデータは依然として有効である。リセットコマンドはすべての制御装置プロセスのハードリセットである。リセット後、制御装置はリコンフィグレーションされなければならない。
【００３６】
先に説明したブルートゥース技術または他の短距離ワイヤレス通信技術は、本発明を実現するために、呼処理を制御するシステムまたはサービス管理機能とともに使用される。添付図面では、短距離通信インターフェイスを通して送信されるメッセージを示すために破線矢が使用されている一方、セルラ無線インターフェイスを通して、ネットワークにまたはネットワークから送信される、そしてネットワーク自体内で送信されるシグナリングメッセージを示すために実線矢が使用されている。
【００３７】
ピックアップサービス
本発明の第１の実施形態では、呼ピックアップはＧＳＭ追加サービス“呼ディフレクション”を使用して呼を再方向付けすることにより提供される。以下では図２に対する参照を行う。ここでは移動局と移動スイッチングセンタとの間の通信が示されている。
【００３８】
最初のステップでは、ステップ２０２および２０４において、発呼者電話局から被呼者局への呼がセットアップされる。呼はセルラ通信ネットワークから発信されるか、例えばＰＳＴＮのような他の任意の電話ネットワークから発信される。先に説明したように被呼者を取り扱うＭＳＣを通して呼がセットアップされ、呼は被呼者局を鳴動させる。被呼者移動局に近接するユーザは移動局が鳴動しているのを聞くと、本発明の実施形態の呼ピックアップ手続きを使用して呼に応答する。呼ピックアップ（ステップ２０６）を開始するために、ユーザはマン・マシーンインターフェイス対話を行って、例えば、ユーザの移動局で、特定キーを起動し、あるいは予め定められたコードを入力する。ピッカーの移動局は短距離無線メッセージを送信して、近くの鳴動する移動局について問い合わせる（ステップ２０８）。
【００３９】
問い合わせ手続きは、短距離無線インターフェイスの範囲により、予め定められた領域に限定される。先に説明したように、ブルートゥース通信の範囲は１０ｍ半径の領域に通常制限されるが、より広い範囲が要求される場合には、例えば追加的な電力増幅器で拡張してもよい。問い合わせは、方向付けられたピックアップ手続き中で使用されるような一般的な問い合わせであっても、または以下でさらに詳細に説明されるようなグループピックアッププロセスのための予め構成されたグループのメンバーに対する問い合わせであってもよい。被呼者移動局はステップ２１０において短距離無線メッセージでピッカーの問い合わせに応答し、鳴動しているとシグナリングし、識別のためにそのＩＭＳＩを送信する。ステップ２１２における別の短距離リンクメッセージでは、ピッカーの移動局は、被呼者からピッカー局へのピックアップサービスの実現の要求を送信する。この要求では、ピッカーのＩＭＳＩ番号のような、呼を再方向付けするためのピッカー移動局についての詳細が被呼者局に送信される。ブルートゥースが使用される場合には、ピッカーと被呼者移動局との間で接続状態を通して接続が確立された後に、これが実行される。
【００４０】
ステップ２１４では、被呼者局はピッカー局に対する別の無線メッセージで要求を肯定応答する。呼ディフレクションの使用により、被呼者局を取り扱うＭＳＣに呼が再方向付けされ、ピッカー移動局のＩＭＳＩ番号が宛先として与えられる。ステップ２１８および２２０において、ピッカー局を取り扱うＭＳＣを通して呼が被呼者ＭＳＣからピッカー移動局にセットアップされる。
【００４１】
呼ディフレクションの代わりに、呼転送のような他の追加サービスを使用して、呼を被呼者移動局からピッカー局に再方向付けしてもよい。
【００４２】
以下で説明するように、呼び出し回線識別子（ＣＬＩ）番号がピッカー移動局に送信される。ステップ２０２および２０４では、発呼者電話局のＣＬＩはＭＳＣを通して被呼者の移動局に送信される。ステップ２１４において、ＣＬＩは被呼者移動局からピッカー局に短距離無線リンクを通して送信される。ＣＬＩは、ステップ２０２における送信のために被呼者を取り扱うＭＳＣにおいて既に知られている。代わりに、ＣＬＩはステップ２１８および２２０において、呼セットアップで、ピッカー局を取り扱うＭＳＣを通してピッカー移動局に送信される。以下に説明する実施形態では、ＣＬＩは同様な方法でピッカー移動局または第３者移動局に送信される。
【００４３】
説明する実施形態では、鳴動移動局の識別子を要求するために、鳴動問い合わせがピッカー移動局により送信される。代替実施形態では、鳴動移動局は可聴音、アラートメッセージの表示またはバイブレーションのような通常機能によりアラートしながら、その識別子とともにブロードキャスト短距離無線チャネルを通してアラートする。このブロードキャストアラートは、ブロードキャスト領域に出入りする移動局を考慮に入れて、周期的に反復されてもよく、タイムアウトしてもよい。アラートを受信する他の移動局自体は、可聴音、アラートメッセージの表示またはバイブレーションのような通常機能によるアラートを開始する。ユーザ対話に応答してピッカー移動局は“実現ピックアップメッセージ”を送信し、図２に図示されている残りの手続きが生じる。この変形は以下に説明する他のすべての実施形態においても使用できることに留意すべきである。
【００４４】
以下において図３（Ａ）および（Ｂ）を参照して、“方向付けられたピックアップ”または“グループピックアップ”サービスとして、記述される実施形態の構成をそれぞれ説明する。
【００４５】
図３（Ａ）では、近接して配置され、したがって短距離無線リンクの範囲内にある、ピッカー移動局３１０と他の移動局３１１ないし３１８とが示されている。先のステップ２０８で説明した問い合わせメッセージが、無線リンクを通して無線リンクの範囲内のすべての移動局に、または方向付けられたピックアップのケースでは選択された１つに送信される。ステップ２１０にしたがうと、鳴動局についての問い合わせは被呼者局３１７により無線リンクを通して応答される。被呼者のＩＭＳＩ番号はこの通信でピッカー局３１０に送信される。
【００４６】
図３（Ｂ）では、ピッカー局３２０と他の移動局３２１ないし３２８が示されている。問い合わせメッセージは、グループピックアップサービスで、予め構成されたグループに属する移動局に送信される。この例では、局３２１、３２３、３２４、３２７および３２８が、ピッカー局３２０と同じグループに属するとして認識される。グループメンバーのフルリストは、例えばグループに属するすべての局に記憶される。代わりに、ピッカー局は加入者用サービスデータを記憶するネットワーク中のショートメッセージエンティティにショートメッセージを送り、グループメンバーの最新リストについて問い合わせる。再度説明すると、被呼者局３２７は鳴動移動局として応答し、無線通信によりＩＭＳＩを送信する。
【００４７】
以下では、本発明の別の実施形態が説明され、先に説明したような既存の追加サービスの代わりに、あるいはこれに加えて、移動通信ネットワーク中のインテリジェントネットワーク（ＩＮ）サービス制御機能を使用して、呼フローが制御される。
【００４８】
この実施形態では、グループピックアップサービスが説明される。移動発信呼またはＰＳＴＮ発信呼を受信するＭＳＣはＩＮ可能であり、それによりＩＮサービススイッチング機能（ＳＳＦ）として動作し、これは情報フロー（ＩＦＳ）を送ることによりＩＮサービス制御機能（ＳＣＦ）と対話し、これはこの実施形態においてサービス制御ポイント（ＳＣＰ）中に実現される。ＳＣＰは、Ｃｏｒｅ ＩＮＡＰ、欧州通信標準規格仕様ＥＴＳ３００  ３７４−１のようなインテリジェントネットワークプロトコルを使用してＭＳＣと通信する。インテリジェントネットワークコンセプトおよび機能性の説明は“インテリジェントネットワーク：基本技術、標準規格および発展”、ＭａｇｅｄａｎｚおよびＰｏｐｅｓｃｕ−Ｚｅｌｅｔｉｎ、国際トマソンコンピュータ出版、１９９６年に見出すことができる。
【００４９】
この実施形態にしたがった呼フローを説明するために、以下では図４を参照する。
【００５０】
ステップ４０２において、呼は発呼者電話局から被呼者を取り扱うＭＳＣにセットアップされる。この実施形態にしたがうと、ＳＣＰにはグループのメンバーに対するすべての終端呼について知らされなければならない。ステップ４０４において、最初の呼は被呼者局に方向付けられ、したがってＭＳＣは初期ＤＰメッセージの形態で情報フローをＳＣＰに送信し、呼について知らせる。ステップ４０６においてＳＣＰは連続的なＲＲＢ（要求リポートＢＣＳＭ、ここでＢＣＳＭは基本呼状態モデルである）メッセージで応答し、被呼者を取り扱うＭＳＣに対して、何らかの理由で呼が応答されまたは終端されたときにＳＣＰに継続して知らせるように命令する。ステップ４０８において、呼は被呼者ＭＳにセットアップされる。ピックアップ要求（ステップ４１０）、鳴動移動局についての問い合わせ（ステップ４１２）、および応答（ステップ４１４）は、ステップ２０６、２０８および２１０で先に説明したのと同じ方法で実行される。ステップ４１６において、ピッカーＭＳはショートメッセージ（ＳＭＳ）をピッカー局を取り扱うＳＣＰに送信して、ピックアップ要求について知らせ、被呼者ＩＭＳＩを送信する。ステップ４１８において、メッセージはその後インテリジェントネットワークプロトコルを使用して被呼者を取り扱うＳＣＰに送られる。ステップ４２０および４２２において、肯定応答メッセージがピッカーＳＣＰおよび移動局に送られる。さらに、ステップ４１８および４２０により、ピッカーは（例えばピッカーＩＭＳＩ番号により）被呼者ＳＣＰで登録される。したがって、ピッカーＭＳに対する接続が後のステージで確立できる。ステップ４２４および４２６におけるピックアップサービスとその肯定応答の実現を要求する短距離無線リンクを通しての通信は、先に説明したステップ２１２および２１４と等価である。ステップ４２８において、被呼者ＭＳは理由を特定することによりＭＳＣへの呼をリリースする。ステップ４３０において、ＭＳＣはステップ４０６のＲＲＢに対してＥＲＢ（イベントリポートＢＣＳＭ）で応答し、ＳＣＰに対して呼のリリースおよび一致した理由について通知する。ステップ４３２において被呼者を取り扱うＳＣＰはリリースプロセスをインターセプトし、ステップ４１８および４２０において登録されたピッカーＭＳに呼を接続するようにＭＳＣに命令する。ステップ４３４および４３６において、呼はその後にＭＳＣを通してピッカーＭＳにセットアップされる。
【００５１】
先に説明した実施形態では、いったんピックアップ決定が行われると、制御はピッカー移動局において保持される。代替実施形態では、制御は被呼移動局において保持される。この代替実施形態では、ステップ４１６から４２６が被呼移動局から被呼者ＳＣＰへのＳＭＳメッセージの送信により置換され、このメッセージは提案ピッカーＭＳの識別子（ＭＳＩＳＤＮまたはＩＭＳＩ）を含み、ＳＣＰは肯定応答を返信する。ピッカーＳＣＰはこの実施形態では参加しない。
【００５２】
他の追加サービス
以下では、本発明の別の実施形態が説明され、短距離無線技術が使用されて、移動通信システムにおいて、呼ダイバート、呼転送、または会議呼のような追加サービスが実現される。図５を参照すると、呼ダイバージョンサービスが説明され、呼フローは例のように追加サービス呼ディフレクションを使用して再方向付けされる。
【００５３】
ステップ５０２および５０４において、呼は発呼者電話局からＭＳＣを通して被呼者ＭＳにセットアップされる。例えば被呼者ＭＳが話中のために、呼が応答されない場合には、ステップ５０６においてＭＳは呼ダイバージョンを要求する。ステップ５０８において、局は短距離無線メッセージを送信して、他の移動局が無線技術範囲内にあるか否かを問い合わせる。この問い合わせメッセージはすべての移動局に、または図３（Ａ）および（Ｂ）を参照して先に説明したようなグループメンバーの局のみに方向付けられる。ステップ５１０において、オンフック状態であって、問い合わせメッセージを受信する到達可能状態にある移動局はそのＩＭＳＩを送信することにより応答する。ステップ５１６において被呼者ＭＳは応答ＭＳに呼がダイバートされることを通知し、ステップ５１８において呼ディフレクションを開始し、応答局ＩＭＳＩを特定する。ステップ５２０および５２２において、呼はその後に応答者局を取り扱うＭＳＣを通してＭＳにセットアップされる。
【００５４】
先に説明したステップに加えて、被呼者局はメッセージを応答移動局に送信して、被呼者に方向付けられた呼がダイバートされ（ステップ５１２）、応答者がアクセスコードを入力して、呼ダイバージョンを受け入れるメッセージを発生させなければならない（ステップ５１４）ことを通知する。
【００５５】
１つより多いＭＳがステップ５０８の問い合わせメッセージに応答する場合には、呼は例えば被呼者局に記憶されている優先度リストにしたがってダイバートされる。代わりに、被呼者局は先のステップ５１２において説明したようなショートメッセージを、応答しているすべての移動局に送信し、呼がその後に先のステップ５１４で説明したようなアクセスコードを入力した最初の当事者にダイバートされる。
【００５６】
短距離無線技術を通しての同様な通信を使用して、被呼者ＭＳに近接した移動局を識別して、呼を転送し、または会議呼中の１つ以上の第３者移動局に接続してもよい。
【００５７】
先に説明した実施形態では被呼者移動局または近くの局は短距離無線リンクを通して他の移動局について問い合わせるが、代わりに発呼者局またはセルラ通信ネットワークを通して通信に参加している他の任意のユーザ端末が短距離無線メッセージを送信して、それに近接する他の移動局を識別してもよいことを理解すべきである。近くの他の局についての会議呼に対する問い合わせは、例えば発呼者局により実行されてもよい。
【００５８】
呼ダイバートサービスに対して説明したのと同じ方法において、短距離無線通信を使用して移動局を識別することに応答して他のサービスを実現していてもよい。例えば、到来呼が中央ベルを鳴動させて、無線リンクの範囲内に位置している第３者がアクセスコードを入力して呼を受け入れる。
【００５９】
先に説明した実施形態では、呼フローは短距離無線リンクを通しての識別プロセスに応答して制御されているが、代わりに、サービス管理機能が制御されてもよいことを理解すべきである。オフィスを離れたユーザは、例えば自分の移動局における到来呼をオフィスに残っている同僚にダイバートさせたいかもしれない。ユーザは、依然としてオフィスにいる間に、自分の局に近接したすべてのまたはグループメンバー移動局に送られる問い合わせメッセージを開始する。応答移動局はその識別番号を送信するので、呼ダイバージョンまたは呼転送をネットワーク中のまたはユーザ局上の、この応答局にセットして、受信された識別番号を使用してユーザ局からサービス管理機能を実行することができる。
【００６０】
他のベアラサービス
上記では、説明したベアラサービスは音声電話ベアラサービスである。ＳＭＳ（テキストメッセージング）、ファクシミリ呼、データ呼、ビデオ呼などのような他のベアラサービスも本発明からの利点を得ることができる。これらのベアラサービスのケースでは、短距離無線リンクを通した通信は、例えばＳＭＳメッセージまたはファクシミリ呼確立信号のような到来通信信号に応答して、移動局により、またはユーザへの到来通信信号のユーザフォローイング通知により（例えばオーディオ信号、可視表示、バイブレーションまたは他のものにより）自動的にトリガされてもよい。
【００６１】
他の装置
先のものでは、移動局の使用を説明したが、他の装置を使用してもよいことを理解すべきである。このような装置は例えばパーソナルコンピュータのようなホームまたはオフィス電気機器であってもよい。装置はセルラ通信モジュール、固定回線通信リンクまたはこれに類するものにより通信可能である。本発明の構成は少なくとも１つの参加ユーザ端末が移動性である場合に特に有効であるが、ユーザ端末または各ユーザ端末が固定装置であってもよいことを理解すべきである。
【００６２】
先に説明した実施形態は好ましい実施形態にすぎないことを理解すべきである。すなわち、さまざまな特徴は、省略されてもよく、本発明の範囲を逸脱することなく、均等物に置換することにより変更してもよく、本発明の範囲は特許請求の範囲において規定される。
【図面の簡単な説明】
【図１】
図１は、移動通信ネットワークの概略ブロック図である。
【図２】
図２は、本発明の１つの実施形態にしたがってピックアップサービスを提供する移動局と移動スイッチングセンタとの間の通信を示している図である。
【図３】
図３の（Ａ）は、本発明の別の実施形態にしたがって方向付けられたピックアップサービスに対する移動局間の短距離無線通信を示す概略図であり、（Ｂ）は本発明の別の実施形態にしたがったグループピックアップサービスに対する移動局間の短距離無線通信を示す概略図である。
【図４】
図４は、本発明のさらに別の実施形態にしたがったピックアップサービスを提供するために、移動局、移動スイッチングセンタおよびサービス制御ポイント間の通信を示す図である。
【図５】
図５は、本発明のさらに別の実施形態にしたがって呼ダイバージョンサービスを提供する移動局と移動スイッチングセンタとの間の通信を示す図である。
【図１】
2004515989.tif 000003
【図２】
2004515989.tif 000004
【図３】
2004515989.tif 000005
【図４】
2004515989.tif 000006
【図５】
2004515989.tif 000007
【国際公開パンフレット】
2004515989.tif 000008
2004515989.tif 000009
2004515989.tif 000010
2004515989.tif 000011
2004515989.tif 000012
2004515989.tif 000013
2004515989.tif 000014
2004515989.tif 000015
2004515989.tif 000016
2004515989.tif 000017
2004515989.tif 000018
2004515989.tif 000019
2004515989.tif 000020
2004515989.tif 000021
2004515989.tif 000022
2004515989.tif 000023
2004515989.tif 000024
2004515989.tif 000025
2004515989.tif 000026
2004515989.tif 000027
2004515989.tif 000028
2004515989.tif 000029
2004515989.tif 000030
2004515989.tif 000031
2004515989.tif 000032
2004515989.tif 000033
2004515989.tif 000034
2004515989.tif 000035
2004515989.tif 000036
2004515989.tif 000037
2004515989.tif 000038
2004515989.tif 000039
【国際調査報告】
2004515989.tif 000040
2004515989.tif 000041
2004515989.tif 000042